(57)【要約】      （修正有）【課題】複数の筆記軸の中から選択的に１つの筆記軸の先端を軸筒の先端開口から突出可能とした複合筆記具において、軸筒の外径が小さくとも、見栄え良く、操作がし易いものとする。【解決手段】軸筒１２は、先軸筒１４と先軸筒に対して相対回転可能となった後軸筒１６とからなり、軸筒内には、後軸筒に対して回転不能となったカム本体２２と、先軸筒に対して回転不能となり各筆記軸３０の後端部に連結されたスライダ３２が設けられ、カム本体には、前方に向けて突出するＶ字状のカム突起２２ｂと、カム突起に沿って前方に面する端面２２ｃと、端面のカム突起の頂点部分には係止凹部２２ｄが形成されており、スライダには、後方に向けて突出するＶ字状のカム３２ａと、カムに沿って後方に面する摺接面３２ｂとが形成されており、摺接面は端面２２ｃに押圧され、後軸筒と先軸筒との間の相対回転により、選択的に筆記軸の先端が軸筒の先端開口１４ａから突出する。【選択図】図１
2005161829.tif 000002
【特許請求の範囲】
【請求項１】
軸筒内に複数の筆記軸が収納されて、該複数の筆記軸の中から選択的に１つの筆記軸の先端を軸筒の先端開口から突出可能とした複合筆記具において、
前記軸筒は、先軸筒と、該先軸筒に対して相対回転可能となった後軸筒とからなり、軸筒の外径が１０．５ｍｍ以下であり、
軸筒内には、後軸筒に対して回転不能となったカム本体と、先軸筒に対して回転不能となり各筆記軸の後端部に連結されたスライダと、が設けられており、
前記カム本体には、前方に向けて突出するＶ字状のカム突起が形成されて、カム突起に沿って前方に面するカム面が形成されており、前記カム面のカム突起の頂点部分には係止部が形成されており、
前記スライダには、後方に向けて突出するＶ字状のカムが形成されて、該カムに沿って後方に面する摺接面が形成されており、該摺接面は、前記カム面に押圧されており、
前記後軸筒と先軸筒との間の相対回転により、前記カムの摺接面がカム面を摺接して、１つのカムが前記係止部に係止されることにより、選択的に該カムの設けられたスライダに連結された筆記軸の先端が軸筒の先端開口から突出するようになった複合筆記具。
【請求項２】
前記カム突起を展開したときの、前記カム突起の頂点部分付近以外の前記カム面の軸方向に平行な線からの傾斜角度は、前記カムを展開したときの、カムの摺接面の軸方向に平行な線からの傾斜角度に対して１±０．５°大きいことを特徴とする請求項１記載の複合筆記具。
【請求項３】
前記カム突起を展開したときの、前記カム突起の頂点部分付近のカム面の軸方向に平行な線からの傾斜角度は、頂点部分付近以外の傾斜角度に比較して大きくなっていることを特徴とする請求項２記載の複合筆記具。
【請求項４】
前記カム突起を展開したときの、前記カム突起の頂点部分付近以外の前記カム面の軸方向に平行な線からの傾斜角度θは、２１．５°以上３０°未満の範囲にあることを特徴とする請求項１ないし３のいずれか１項に記載の複合筆記具。
【請求項５】
前記カム本体のカム面は、Ｖ字状のカム突起の両端から周方向に沿って伸びて連続しており、その周方向に沿って伸びる部分に、前記カムが係止される第２係止部が形成されていることを特徴とする請求項１ないし４のいずれか１項に記載の複合筆記具。
【請求項６】
前記第２係止部によるカムの係止力は、前記係止部によるカムの係止力よりも小さいことを特徴とする請求項５記載の複合筆記具。
【請求項７】
前記複数の筆記軸は３本以上であることを特徴とする請求項１ないし６のいずれか１項に記載の複合筆記具。
【発明の詳細な説明】
【技術分野】
【０００１】
本発明は、例えば、ポールペン筆記軸、シャープペンシル筆記軸、消しゴム筆記軸、コンピュータ入力用筆記軸等の任意の複数の筆記軸が収納されて、該複数の筆記軸の中から選択的に１つの筆記軸の先端を軸筒の先端開口から突出可能とした複合筆記具に関し、特に軸筒の外径が小径となった複合筆記具に関する。
【背景技術】
【０００２】
従来、この種の複合筆記具としては、複数の筆記軸を収納し、それを選択的に突出させるための機構を軸筒内に収納する必要があるために、軸筒が必然的に大型化し、大径なものが一般的である。
これに対し複合筆記具で小径な構成を可能にするものとしては、実開昭６１−１４０８８７号公報や実開昭５５−４７３６２号公報に記載されたものがある。
【０００３】
実開昭６１−１４０８８７号公報に記載された構成は、各筆記軸の後端部に連結されたノック棒が、軸筒の後部に形成された窓穴に沿って移動可能となっており、突出させたい筆記軸の後端部に連結されたノック棒を窓穴に沿って前進させる操作によって、任意の筆記軸を選択的に使用可能となっている。操作の際に、ノック棒及び筆記軸は、軸筒の軸方向に沿って略直線的に移動する。
【０００４】
また、実開昭５５−４７３６２号公報に記載された構成は、軸筒内にスライダが設けられて、該スライダに振り子が連結されており、さらに、スライダには半径方向に突出するように埋設された突出ピンが設けられている。そして、後端ノックボタンを押圧する操作により、スライダが前進し、突出ピンがクリップに設けられた戻しボタンに係合し、振り子の先端が重力によって複数の筆記軸のうちのいずれか下方にある筆記軸と係合し、任意の筆記軸を選択的に使用可能となっている。また、その突出した筆記軸を退没させるときには、クリップに設けられた戻しボタンを押すことによって、突出ピンとの係合を解除し、筆記軸はスプリングによる付勢力によって元の状態に戻る。操作の際に、筆記軸は、軸筒の軸方向に沿って略直線的に移動する。
【０００５】
以上の公報に記載された構成では、筆記軸がいずれも軸筒の軸方向に沿って略直線的に移動するが、各筆記軸の周方向位置は基本的に変化しない。
しかしながら、実開昭６１−１４０８８７号公報に記載された構成では、複数のノック棒が窓穴より露出するために、軸筒から突出するものが多くなり、見栄えが悪いという問題がある。
また、実開昭５５−４７３６２号公報に記載された構成では、筆記軸を切り替える際に、戻しボタンを操作して、且つ軸筒を持つ位置を全体的に変更する必要があり、操作が煩わしく分かりにくいという問題がある。
【０００６】
【特許文献１】実開昭６１−１４０８８７号公報
【特許文献２】実開昭５５−４７３６２号公報
【発明の開示】
【発明が解決しようとする課題】
【０００７】
本発明は、かかる問題に鑑みなされたもので、軸筒の外径が小さくても、見栄え良く、操作がし易い複合筆記具を提供することをその目的とする。
【課題を解決するための手段】
【０００８】
上記目的を達成するために、本発明のうち請求項１記載の発明は、軸筒内に複数の筆記軸が収納されて、該複数の筆記軸の中から選択的に１つの筆記軸の先端を軸筒の先端開口から突出可能とした複合筆記具において、
前記軸筒は、先軸筒と、該先軸筒に対して相対回転可能となった後軸筒とからなり、軸筒の外径が１０．５ｍｍ以下であり、
軸筒内には、後軸筒に対して回転不能となったカム本体と、先軸筒に対して回転不能となり各筆記軸の後端部に連結されたスライダと、が設けられており、
前記カム本体には、前方に向けて突出するＶ字状のカム突起が形成されて、カム突起に沿って前方に面するカム面が形成されており、前記カム面のカム突起の頂点部分には係止部が形成されており、
前記スライダには、後方に向けて突出するＶ字状のカムが形成されて、該カムに沿って後方に面する摺接面が形成されており、該摺接面は、前記カム面に押圧されており、
前記後軸筒と先軸筒との間の相対回転により、前記カムの摺接面がカム面を摺接して、１つのカムが前記係止部に係止されることにより、選択的に該カムの設けられたスライダに連結された筆記軸の先端が軸筒の先端開口から突出するようになったことを特徴とする。
【０００９】
請求項２記載の発明は、請求項１記載のものにおいて、前記カム突起を展開したときの、前記カム突起の頂点部分付近以外の前記カム面の軸方向に平行な線からの傾斜角度は、前記カムを展開したときの、カムの摺接面の軸方向に平行な線からの傾斜角度に対して１±０．５°大きいことを特徴とする。
【００１０】
請求項３記載の発明は、請求項２記載のものにおいて、前記カム突起を展開したときの、前記カム突起の頂点部分付近のカム面の軸方向に平行な線からの傾斜角度は、頂点部分付近以外の傾斜角度に比較して大きくなっていることを特徴とする。
【００１１】
請求項４記載の発明は、請求項１ないし３のいずれか記載のものにおいて、前記カム突起を展開したときの、前記カム突起の頂点部分付近以外の前記カム面の軸方向に平行な線からの傾斜角度θは、２１．５°以上３０°未満の範囲にあることを特徴とする。
【００１２】
請求項５記載の発明は、請求項１ないし４のいずれか記載のものにおいて、前記カム本体のカム面は、Ｖ字状のカム突起の両端から周方向に沿って伸びて連続しており、その周方向に沿って伸びる部分に、前記カムが係止される第２係止部が形成されていることを特徴とする。
【００１３】
請求項６記載の発明は、請求項５記載のものにおいて、前記第２係止部によるカムの係止力は、前記係止部によるカムの係止力よりも小さいことを特徴とする。また、請求項７記載の発明は、請求項１ないし６のいずれかに記載のものにおいて、前記複数の筆記軸は３本以上であることを特徴とする。
【発明の効果】
【００１４】
本発明によれば、後軸筒を先軸筒に対して回転させると、後軸筒に対して回転不能となったカム本体と、先軸筒に対して回転不能となったスライダとの間で相対回転が発生し、スライダのカムの摺接面がカム本体のカム面に沿って摺接し、あるスライダのカムが、カム面のＶ字状のカム突起の頂点部分に形成された係止部に係止する。これにより、そのスライダに連結された筆記軸は、前進した状態を維持して、その先端が軸筒の先端開口から突出して、使用に供される。軸筒の外径が１０．５ｍｍ以下であるため、軸筒の外径が小さい一方で、従来のように複数のノック棒が露出したりすることなく、戻しボタンなども不要となり、見栄え良く、操作性の良い複合筆記具とすることができる。
【００１５】
また、請求項２記載の発明によれば、カム本体のカム突起を急峻にしなければならない状況下では、カム本体のカム突起のカム面の傾斜角度とスライダのカムの摺接面の傾斜角度を同じにするよりも、むしろカム本体のカム突起のカム面の傾斜をスライダのカムの摺接面の傾斜よりもやや緩やかにすることにより、カムの摺接面をスムーズにカム面に摺接させることができる。
【００１６】
また、請求項３記載の発明によれば、カム本体のカム突起を急峻にしなければならない状況下では、カム本体のカム突起のカム面に沿って係止部に向かってスライダのカムが移動した場合に、カム突起の頂点付近の傾斜角度を大きくし、傾斜を緩やかにすることにより、係止部へのカムの出入りをスムーズにすることができる。
【００１７】
また、請求項４記載の発明によれば、カム面の軸方向に平行な線からの傾斜角度θが２１．５°以上３０°未満の範囲で、カムの移動をスムーズにすると共に、軸筒の外径を小径にすることができる。
【００１８】
また、請求項５記載の発明によれば、カム本体のカム突起が急峻であるために、筆記軸がすべて軸筒内に収納されている不使用状態であっても、いずれかの筆記軸に連結されたスライダのカムの摺接面がカム本体のカム突起のカム面を係止部に向かって摺接して、不用意に筆記軸の先端が突出してしまうおそれがあるが、すべての筆記軸が軸筒内に収納されている不使用状態において、第２係止部にいずれかのスライダのカムが係止することによって、不使用時のスライダの移動を阻止することができる。
【００１９】
また、請求項６記載の発明によれば、すべての筆記軸が軸筒内に収納されている不使用状態からいずれかの筆記軸を使用するために操作したときに、カムが第２係止部から簡単に外れることができる。これに対して、いずれかの筆記軸を使用中は、カムが係止部から簡単に外れることがなく、安定して使用することができる。請求項７記載の発明によれば、小径の軸筒でありながら３本以上の筆記軸を切り替えて使用することができるようになる。
【発明を実施するための最良の形態】
【００２０】
以下、図面を用いて本発明の実施の形態を説明する。
図１ないし図５は、本発明の複合筆記具の第１実施形態を表す図である。図において、複合筆記具１０は、軸筒１２を備えている。軸筒１２は、先軸筒１４と後軸筒１６とからなる。
【００２１】
先軸筒１４と後軸筒１６の外径は、本発明の目的とする小径となっており、その外径は１０．５ｍｍ以下となっている。複数の筆記軸３０を収納するために、内径を少なくとも７．８ｍｍ以上確保するためには、肉厚が薄くなっている必要があり、そのためには、先軸筒１４と後軸筒１６は、例えば真鍮またはアルミ等の金属材料から構成すると好ましい。真鍮の場合の好ましい肉厚は、０．３ｍｍ〜０．４ｍｍ程度、アルミの場合の好ましい肉厚は、０．４ｍｍ〜０．５ｍｍ程度であり、９ｍｍ未満の外径の軸筒１２を実現することができる。また、先軸筒１４と後軸筒１６の少なくともいずれか一方をプラスチック材料から構成した場合には、好ましい肉厚は、０．８ｍｍ〜１．３ｍｍ程度である。尚、後軸筒１６の先端には、意匠的な装飾リング１５が固着され、該装飾リング１５は軸筒１２の外径よりも大径であるが、少なくとも、筆記軸３０を収納する軸筒１２の最小外径は１０．５ｍｍ以下の小径となっている。
【００２２】
先軸筒１４と後軸筒１６からなる軸筒１２内に複数（この例では３本）の筆記軸３０、３０、３０が収納される。この例では、１本の筆記軸３０はシャープペンシル筆記軸、残りの２本の筆記軸３０は、色の異なるボールペン筆記軸とすることができるが、これに限らず、これらを含む消しゴム筆記軸、コンピュータ入力用筆記軸等の任意の筆記軸の組み合わせとすることができる。
【００２３】
先軸筒１４の先端開口１４ａが軸筒１２の先端開口となり、この先端開口１４ａから複数の筆記軸３０、３０、３０の先端のいずれかが選択的に突出する。
先軸筒１４と後軸筒１６とは、嵌合筒１８によって着脱可能に且つ互いに相対回転可能に連結される。嵌合筒１８は、後軸筒１６内で該後軸筒１６に対して回転可能に配置される案内筒２０にカシメ結合され、後軸筒１６の先端から突出しており、この突出している部分に先軸筒１４が着脱可能に嵌合される。そして、嵌合筒１８の後軸筒１６の先端から突出している部分には、適宜嵌合タボが形成されて嵌合力が高められており、先軸筒１４が嵌合筒１８に連結されると両者は一体的に回転するようになっている。
【００２４】
後軸筒１６内にはカム本体２２が固定される。カム本体２２の内部段部２２ａに前記案内筒２０の後端の係止鍔２０ａが係止されており、これによって、案内筒２０が後軸筒１６内で相対回転可能となっている。尚、カム本体２２は、後軸筒１６と一体に形成してもよい。
案内筒２０には、各筆記軸３０に対応して、軸方向に伸びる案内溝２０ｂが形成されており、この案内溝２０ｂに筆記軸３０に連結されるスライダ３２が摺動可能に配置される。スライダ３２と案内筒２０の中間部に設けられた仕切部２０ｃとの間には、筆記軸３０の周囲に巻回されたスプリング３４が介挿されており、スプリング３４がスライダ３２を後方へと常時付勢している。
【００２５】
カム本体２２には、前方に向けて突出するカム突起２２ｂが形成されており、カム突起２２ｂに沿って前方に面するカム面としての端面２２ｃがＶ字形状に伸びており、さらに、端面２２ｃは、カム突起２２ｂ両端からは、周方向に伸びて連続している。この端面２２ｃのＶ字形状の頂点部分には、係止部としての係止凹部２２ｄが形成されている。
【００２６】
このカム突起２２ｂに沿ってＶ字形状に伸びる端面２２ｃのＶ字の開度２θは展開状態で４３°以上６０°未満、即ち、軸方向に平行な線からの傾斜角度θは、θ＝２１．５°以上３０°未満にあり、大径の軸筒の場合のカム突起の傾斜角度よりも小さく、即ちＶ字形状がより急峻なものとなっている。好ましくは、傾斜角度θ＝２３°（２θ＝４６°）程度であると良い。尚、この明細書及び特許請求の範囲では、傾斜角度を軸方向に平行な線からの角度としているが、傾斜は、軸方向に平行になればそれだけ急峻となるので、傾斜角度が小さいと傾斜が急峻となり、傾斜角度が大きいと傾斜が緩慢になることに注意されたい。
【００２７】
さらに、図４に示すように、カム本体２２のカム突起２２ｂの頂点部分付近である先端から所定距離ｔの範囲内にある端面２２ｃについては、Ｖ字形状の線上よりも内側に偏移しており、より詳細には、カム本体２２のカム突起２２ｂの先端部は、大きな曲率半径による円弧を描いており、結果として、所定距離ｔの範囲内にある端面２２ｃの傾斜角度は、所定距離ｔの範囲外のカム突起２２ｂの端面２２ｃの傾斜角度よりも大きくなっており、傾斜は緩やかになっている。
【００２８】
一方、スライダ３２の外周面にはカム３２ａが形成されており、このカム３２ａに沿って後方に面する摺接面３２ｂがＶ字形状に伸びている。スプリング３４によって後方へと付勢されるスライダ３２のカム３２ａの摺接面３２ｂは、前記端面２２ｃに押圧されており、端面２２ｃに摺接される。このカム３２ａの摺接面３２ｂのＶ字形状の軸方向に平行な線からの傾斜角度φは、カム突起２２ｂの端面２２ｃの傾斜角度と同じ角度にすることが常識であるが、これに対して本発明では、同じ角度ではなく、展開状態でカム突起２２ｂの傾斜角度θの方がスライダ３２のカム３２ａの傾斜角度φよりも１±０．５°大きくなっており、言い換えれば、スライダ３２のカム３２ａの傾斜の方が、カム本体２２のカム突起２２ｂの傾斜角度よりも、急峻になっている。例えば、カム本体２２のカム突起２２ｂのＶ字の開度が２θ＝４６°であるとすると、スライダ３２のカム３２ａのＶ字の開度が２φ＝４４°となっている。
【００２９】
また、カム本体２２の後方には、消しゴム受台２４が固着され、消しゴム受台２４に消しゴム２６が挿入され、消しゴムカバー２８が被着されている。また、消しゴム受台２４と後軸筒１６の後端との間には、クリップ２９の基部が挟着されており、クリップ２９の本体は、後軸筒１６に沿って伸びている。
【００３０】
図６及び図７は、以上の複合筆記具１０の組立手順を表す図である。簡単に説明すると、まず、図６に示すように、案内筒２０に嵌合筒１８をカシメ結合し、次いでスライダ３２とスプリング３４を案内筒２０の後方から案内溝２０ｂに挿入し、そのスライダ３２に継手３３を介して筆記軸３０の後端部を連結してユニットを作製する。一方、図７に示すように、後軸筒１６に装飾リング１５を固着して、クリップ２９を取り付けた後、後軸筒１６内にカム本体２２を固着する。そして、前記案内筒２０を含む図６のユニットを後軸筒１６の前方から挿入して、案内筒２０の係止鍔２０ａをカム本体２２の内部段部２２ａに係止し、消しゴム受台２４、消しゴム２６及び消しゴムカバー２８を後軸筒１６の後端に取り付けて、最後に、先軸筒１４を嵌合筒１５に装着して、複合筆記具１０が完成する。
【００３１】
以上のように構成される複合筆記具１０において、その操作を説明する。
図３及び図５（ｂ）に示す状態から、後軸筒１６を先軸筒１４に対して回転すると、後軸筒１６に固定されたカム本体２２が一緒に回転する。一方、先軸筒１４に対して一体的に回転するようになっている嵌合筒１８及び嵌合筒１８に連結された案内筒２０は回転しないため、案内筒２０とカム本体２２との間には相対回転が発生する。よって、案内筒２０の案内溝２０ｂにあるスライダ３２とカム本体２２との間に相対回転が発生して、スライダ３２のカム３２ａの摺接面３２ｂがカム本体２２の端面２２ｃに沿って移動する。しかして、１つのスライダ３２のカム３２ａがカム本体２２のカム突起２２ｂの端面２２ｃの係止凹部２２ｄに到達して、その係止凹部２２ｄに係止されると、そのスライダ３２及びそれに連結される筆記軸３０は前進した状態を維持し、筆記軸３０の先端が先軸筒１４の先端開口１４ａから突出して、使用に供される（図２及び図５（ａ））。
【００３２】
他のスライダ３２のカム３２ａは、カム本体２２の端面２２ｃのカム突起２２ｂの麓部分に到達して、スライダ３２及びそれに連結される筆記軸３０は退没した状態を維持する。
【００３３】
突出している筆記軸３０の使用が終了して収納したい場合には、後軸筒１６を再び先軸筒１４に対して少し強く回転すると、カム本体２２のカム突起２２ｂの係止凹部２２ｄに係止しているスライダ３２のカム３２ａが係止凹部２２ｄから脱出して、端面２２ｃを移動し、図３及び図５（ｂ）に示すような状態になると、すべての筆記軸３０が退没した状態となる。このように、複数の筆記軸３０が軸筒１２内において、その軸筒１２の周方向に沿って回転移動することで、順次１つの筆記軸３０が軸筒１２の先端から突出した状態と、全ての筆記軸３０が退没した状態とを繰り返すことができる。軸筒１２の外径及び内径が小さい場合、軸筒１２の周方向に沿って回転移動をスムーズに起こさせるためには、カム本体２２のカム突起２２ｂの端面２２ｃと、スライダ３２のカム３２ａの摺接面３２ｂとの摺動をスムーズに起こさせることが必要不可欠である。さらに、軸筒１２が小径であるために、カム本体２２のカム突起２２ｂの端面２２ｃの軸方向に平行な線からの傾斜角度を小さく、即ち、傾斜を急峻にしなければならない。
【００３４】
発明者の研究によると、このようにカム本体２２のカム突起２２ｂの端面２２ｃを急峻にしなければならない状況下では、カム本体２２のカム突起２２ｂの端面２２ｃの傾斜角度とスライダ３２のカム３２ａの摺接面３２ｂの傾斜角度を同じにするよりも、むしろカム本体２２のカム突起２２ｂの端面２２ｃの傾斜をスライダ３２のカム３２ａの摺接面３２ｂの傾斜よりもやや緩やかにすると、スライダ３２の移動がスムーズに行くことが判明した。そして、その傾斜角度の差異としては、１±０．５°、Ｖ字の開度の差異としては、２±１°とすると良いことが分かった。さらに、それだけでなく、カム本体２２のカム突起２２ｂの頂点部分において、端面２２ｃの傾斜角度が大きくなっていると、係止凹部２２ｄへのスライダ３２のカム３２ａの出入りがスムーズに行くことが判明した。
【００３５】
こうして、軸筒１２が小径でありながら、３つの筆記軸３０を持つ複合筆記具において、その筆記軸３０の先端の突出・退没をスムーズに行うことができる。また、後軸筒１６と先軸筒１４との相対回転によって操作を行うために、従来の軸筒から露出するノック棒などが不要であり、さらには、戻しボタンなども不要となり、見栄え良く、操作性の良い複合筆記具とすることができる。
【００３６】
図８及び図９は、本発明の複合筆記具の第２実施形態を表す図である。この実施形態では、カム本体２２の先端部の端面２２ｃのＶ字形状のカム突起２２ｂが形成されている部分と反対側にある周方向に伸びている部分に、第２係止部としての第２係止凹部２２ｅが形成されている点で第１実施形態と異なっている。この第２係止凹部２２ｅの深さは、係止凹部２２ｄの深さよりは浅いものとなっている。
【００３７】
この実施形態の操作を説明する。１つの筆記軸３０が前進状態にあり、この筆記軸３０に連結されたスライダ３２のカム３２ａが係止凹部２２ｄに係止されている状態は、第１実施形態と同じである。この状態から、後軸筒１６を先軸筒１４に対して回転して、上記スライダ３２のカム３２ａが係止凹部２２ｄから脱出して、図９（ａ）に示すような状態になると、別のスライダ３２のカム３２ａが第２係止凹部２２ｅに係止される。この状態では、すべての筆記軸３０が退没した状態となっており、さらに１つのスライダ３２が第２係止凹部２２ｅに拘束されている（図９（ｂ））。これによって、スライダ３２の不用意な移動が阻止されるために、確実に退没状態を維持することができる。特に、この例のように、カム突起２２ｂの端面２２ｃが急峻である場合には、筆記軸３０が退没状態にあるときでも、いずれかの筆記軸３０に連結されたスライダ３２のカム３２ａの摺接面３２ｂがカム本体２２のカム突起２２ｂの端面２２ｃを係止凹部２２ｄに向かって摺接して、不用意に筆記軸３０の先端が突出してしまうおそれがあるが、そのようなスライダ３２の不用意な移動を阻止することができる。
【００３８】
また、退没操作を行う際に、使用者は、１つのスライダ３２のカム３２ａが第２係止凹部２２ｅに係止されるクリック感を得ることができ、確実に収納できたことを知ることができる。
【００３９】
尚、第２係止凹部２２ｅは、係止凹部２２ｄよりはその凹部の深さが浅く、係止力は小さいものとなっているために、小さい力で簡単に第２係止凹部２２ｅからの係止を解除し、いずれか１つの筆記軸３０を前進させる操作をすることができ、操作性は良好である。
第２係止凹部の形状としては、図１０または図１１に示すような第２係止凹部２２ｅ'、２２"とすることができる。
【図面の簡単な説明】
【００４０】
【図１】本発明の複合筆記具の第１実施形態を表す縦断面図である（尚、図中、案内筒の後部については、上部のみ断面図となっている）。
【図２】１つの筆記軸が突出した状態におけるカム本体、案内筒、スライダ及び先軸筒の関係を表す説明図であり、（ａ）はカム本体のカム突起側から見た図、（ｂ）は（ａ）と反対側から見た図である。
【図３】すべての筆記軸が退没した状態におけるカム本体、案内筒、スライダ及び先軸筒の関係を表す説明図であり、（ａ）はカム本体のカム突起側から見た図、（ｂ）は（ａ）と反対側から見た図である。
【図４】カム本体のカム突起の頂点付近と、スライダのカムとの関係を表す拡大平面展開図である。
【図５】カム本体とカムとの関係を表す図であり、（ａ）が１つの筆記軸が突出した状態、（ｂ）がすべての筆記軸が退没した状態である。
【図６】本発明の複合筆記具の組立手順を表す説明図である。
【図７】図６の続きの説明図である。
【図８】本発明の複合筆記具の第２実施形態を表す、図３（ｂ）に相当する図である。
【図９】第２実施形態のカム本体とカムとの関係を表す図であり、（ａ）が１つの筆記軸が突出した状態、（ｂ）がすべての筆記軸が退没した状態である。
【図１０】第２係止凹部の他の例を表す図９（ｂ）相当図である。
【図１１】第２係止凹部の他の例を表す図９（ｂ）相当図である。
【符号の説明】
【００４１】
１０  複合筆記具
１２  軸筒
１４  先軸筒
１４ａ  先端開口
１６  後軸筒
２２  カム本体
２２ｂ  カム突起
２２ｃ  端面（カム面）
２２ｄ  係止凹部（係止部）
２２ｅ  第２係止凹部（第２係止部）
３０  筆記軸
３２  スライダ
３２ａ  カム
３２ｂ  摺接面
【図１】
2005161829.tif 000003
【図２】
2005161829.tif 000004
【図３】
2005161829.tif 000005
【図４】
2005161829.tif 000006
【図５】
2005161829.tif 000007
【図６】
2005161829.tif 000008
【図７】
2005161829.tif 000009
【図８】
2005161829.tif 000010
【図９】
2005161829.tif 000011
【図１０】
2005161829.tif 000012
【図１１】
2005161829.tif 000013